(57)【要約】【課題】高所に容易かつ安全に移動することができる梯子を提供する。【解決手段】本考案は、平行に配置された２本の棒状の第１垂直部材５Ａ、５Ｂの間に、所定の間隔で複数の第１水平部材６を固着した第１梯子２と、平行に配置された２本の棒状の第２垂直部材１６Ａ、１６Ｂの間に、所定の間隔で複数の第２水平部材１７を固着した第２梯子３とを有し、第２梯子３が、上下に摺動可能に第１梯子２に取付けられている梯子であって、第２垂直部材１６Ａ、１６Ｂの上端に、第２垂直部材１６Ａ、１６Ｂと所定の角度をなして第２梯子３の外側に延出する移動補助部４をさらに備えることを特徴とする。【選択図】図１
0003132302.tif 000002
【実用新案登録請求の範囲】
【請求項１】
平行に配置された２本の棒状の第１垂直部材の間に、所定の間隔で複数の第１水平部材を固着した第１梯子と、平行に配置された２本の棒状の第２垂直部材の間に、所定の間隔で複数の第２水平部材を固着した第２梯子とを有し、前記第２梯子が、上下に摺動可能に前記第１梯子に配置されている梯子であって、
前記第２垂直部材の上端に、前記第２垂直部材と所定の角度をなして前記第２梯子の外側に延出する移動補助部をさらに備えることを特徴とする梯子。
【請求項２】
前記第２梯子の最上段の前記第２水平部材から、前記移動補助部の先端までの、前記第２垂直部材の延長線上における長さが、６０センチメートル以上であることを特徴とする請求項１に記載の梯子。
【請求項３】
前記第２梯子は、前記第１梯子の後側に取付けられており、前記第１梯子には、隣接する前記第１水平部材の間に、前方に凸となるアーチ状の取手が設けられていることを特徴とする請求項１又は２のいずれか１項に記載の梯子。
【請求項４】
前記第２梯子の少なくとも一方の前記第２垂直部材には、前記第１水平部材と係合して前記第２梯子を前記第１梯子に係止固定する係止機構が設けられており、前記係止機構は、前記第１水平部材と係合した際に、前記第１水平部材と前記第２水平部材とが、同じ高さに並ぶように配置されていることを特徴とする請求項１から３のいずれか１項に記載の梯子。
【請求項５】
前記第１梯子は、前記第１垂直部材の下部に設けられた接地部材を有し、前記接地部材の長手方向の長さが、前記第１垂直部材の奥行きの２倍以上に設定されていることを特徴とする請求項１から４のいずれか１項に記載の梯子。
【請求項６】
平行に配置された２本の棒状の垂直部材と、
前記垂直部材の間に、所定の間隔で固着された複数の水平部材と、
を有する梯子であって、
前記垂直部材の上端に、前記垂直部材と所定の角度をなして外側に延出する移動補助部をさらに備えることを特徴とする梯子。
【考案の詳細な説明】
【技術分野】
【０００１】
本考案は、高所に移動するための梯子に関する。
【背景技術】
【０００２】
従来、住宅の屋根や倉庫の積荷の上などの高所に乗り移るための手段として、２本の垂直部材の間に水平部材を等間隔で配置した梯子や、当該梯子を２つ組み合わせて長い１本の梯子として利用する２段梯子が使用されている。
【０００３】
一般的に、上記の梯子は、足場となる水平部材が、上端付近、例えば、上端から１０センチメートル程度下の箇所まで一定の間隔で設けられている（例えば、特許文献１参照。）。
【特許文献１】特開２００５−１２０７３７号公報
【考案の開示】
【考案が解決しようとする課題】
【０００４】
ところで、労働災害を防ぐための労働安全衛生法に基づく労働安全衛生規則では、梯子を設置する際には、梯子の上端を、乗り移る高所の床面から６０センチメートル以上突出させることが義務付けられている（労働安全衛生規則５５６条）。
【０００５】
しかしながら、特許文献１に記載の梯子を含む従来の梯子は、上記労働安全衛生規則を遵守するために梯子の上端を６０センチメートル以上突出させると、最上段の水平部材が高所の床面より高い箇所に位置することになる。当該水平部材は、使用者が高所へ乗り移る際に邪魔になり、無理にまたごうとすると墜落等の原因になるおそれがある。
【０００６】
また、従来の梯子は、垂直部材が上端まで平行に設けられているので、垂直部材間のスペースは充分でない。さらに、上述のように上端付近に邪魔な水平部材が存在すると、垂直部材の間から高所に乗り移るのは困難である。従って、通常、高所に移動する際は、垂直部材の外側に体をずらし、垂直部材の外側から回りこむように乗り移るのが一般的である。
【０００７】
しかしながら、上記の動作を行う際、垂直部材の上端には、水平部材の長手方向に向かってずれるように移動しようとする力が作用する。この力によって梯子が倒れたり、使用者がバランスを崩して墜落したりする危険がある。乗り移ろうとする場所が高いほど、接地面から上端までの距離が長くなるので、垂直部材に作用する力が大きくなり、危険である。
【０００８】
本考案は上記事情に鑑みて成されたものであり、高所に容易かつ安全に移動することができる梯子を提供することを目的とする。
【課題を解決するための手段】
【０００９】
本考案は、平行に配置された２本の棒状の第１垂直部材の間に、所定の間隔で複数の第１水平部材を固着した第１梯子と、平行に配置された２本の棒状の第２垂直部材の間に、所定の間隔で複数の第２水平部材を固着した第２梯子とを有し、前記第２梯子が、上下に摺動可能に前記第１梯子に配置されている梯子であって、前記第２垂直部材の上端に、前記第２垂直部材と所定の角度をなして前記第２梯子の外側に延出する移動補助部をさらに備えることを特徴とする。
【００１０】
本考案の梯子を高所に立てかけると、第２垂直部材の間隔よりも広い間隔を有して移動補助部が高所の床面上に突出する。
【００１１】
前記第２梯子の最上段の前記第２水平部材から前記移動補助部の先端までの、前記第２垂直部材の延長線上における長さは、６０センチメートル以上であってもよい。
また、前記第２梯子は、前記第１梯子の後側に取付けられており、前記第１梯子には、隣接する前記第１水平部材の間に、前方に凸となるアーチ状の取手が設けられてもよい。
【００１２】
前記第２梯子の少なくとも一方の前記第２垂直部材には、前記第１水平部材と係合して前記第２梯子を前記第１梯子に係止固定する係止機構が設けられており、前記係止機構は、前記第１水平部材と係合した際に、前記第１水平部材と前記第２水平部材とが、同じ高さに並ぶように配置されてもよい。
【００１３】
さらに、前記第１梯子は、前記第１垂直部材の下部に設けられた接地部材を有し、前記接地部材の長手方向の長さが、前記第１垂直部材の奥行きの２倍以上に設定されてもよい。
【００１４】
また、本考案は、平行に配置された２本の棒状の垂直部材と、前記垂直部材の間に、所定の間隔で配置された複数の水平部材とを有する梯子であって、前記垂直部材の上端に、前記垂直部材と所定の角度をなして外側に延出する移動補助部をさらに備えることを特徴とする。
【考案の効果】
【００１５】
本考案の梯子によれば、移動補助部の間から、高所に容易かつ安全に移動できる。
【考案を実施するための最良の形態】
【００１６】
本考案の一実施形態の２段梯子について、図１から図７を参照して説明する。
図１は本実施形態の２段梯子（梯子）１の正面図である。２段梯子１は、第１梯子２と、第１梯子２の後側に上下に摺動可能に配置された第２梯子３と、第２梯子３の上端に取付けられた移動補助部４とを備えて構成されている。
なお、以下の説明における前後左右等の表現は、図１に示す状態を基準とする。
【００１７】
第１梯子２は、平行に配置された２本の棒状の第１垂直部材５Ａ、５Ｂの間に、足場となる第１水平部材６が、３０センチメートル間隔で固着されて構成されている。第１垂直部材５Ａ、５Ｂ及び第１水平部材６は、アルミ等の金属で形成されている。
【００１８】
図２に示すように、第１垂直部材５Ａ、５Ｂは、水平方向の切断面が略Ｕ字状である。各第１垂直部材は、Ｕ字状に開口した端部７が互いに対向するように配置されている。各第１垂直部材の下部には、接地部材８が設けられている。
【００１９】
図３は接地部材８の拡大図である。接地部材８は、底面９と、底面の幅方向の端部から垂直に延出する略三角形の側面１０とを有する。接地部材８の長手方向の長さＬ３は、第１垂直部材５Ａの奥行きＬ４の２倍以上に設定されている。
【００２０】
接地部材８は、側面１０が第１垂直部材５Ａ、５Ｂの左右の側面を下方から挟み込むように配置され、側面１０の上部が、ピン等の部材によって、第１垂直部材５Ａ、５Ｂに対して前後に回動可能に固定されている。
底面８の下部には、ゴム等からなる滑り止め部材１１が前後に取付けられている。
【００２１】
第１水平部材６は、円筒の一部が水平となった略半円筒状に形成されている。第１水平部材６は水平面１２が上になるように第１垂直部材５Ａ、５Ｂ間に配置されている。図１に示すように、上から２番目の第１水平部材６Ａと、隣接する第１水平部材６Ｂとの間には、各第１水平部材の中点部分を結ぶように取手１３が取付けられている。
取手１３は、図４に示すように、各第１水平部材６Ａ、６Ｂに取付けられた両端の固定部１４よりも、中央部１５が手前にせり出す形状になっており、側面視において、前方に凸となる略アーチ状に形成されている。
【００２２】
第２梯子３は、第１梯子２と同様に、棒状の第２垂直部材１６Ａ、１６Ｂの間に第２水平部材１７が配置されて構成されている。第２垂直部材１６Ａ、１６Ｂの間隔、及び第２水平部材１４の形状や配置間隔等は第１梯子２と略同一である。
【００２３】
図２に示すように、第２梯子３の第２垂直部材１６Ａ、１６Ｂは、Ｕ字状に開口した端部１８が互いに外側を向くように配置されている。各第２垂直部材１６Ａ、１６Ｂの前側の端部１８Ａは第１梯子２の第１垂直部材５Ａ、５Ｂの開口部内で後側の端部７Ａと水平部材６との間に挟まれており、第１垂直部材５Ａ、５Ｂと係合している。すなわち、第２梯子３の第２垂直部材１６Ａ及び１６Ｂは、第１梯子２に対して、長手方向に摺動可能に配置されている。
【００２４】
図５に示すように、第１梯子２の第１垂直部材５Ｂの外側の面には、固定部材１９を介して第１滑車２０が、第２梯子３の第２垂直部材１６Ｂの端部１８上に位置するように設けられている。第２垂直部材１６Ｂの端部１８側の面には、第２滑車２１が第１滑車２０の下方に設けられている。第１滑車２０及び第２滑車２１にはロープ２２が巻きまわされている。
【００２５】
ロープ２２の一方の端部は第１滑車１７の軸に固定されている。ロープ２２はそこから下方に延びて第２滑車２１を巻きまわされて再び第１滑車２０の外周を巻きまわされている。ロープ２２の他方の端部は、第１梯子２側に垂らされている。
【００２６】
図１に示すように、各第２垂直部材１６Ａ、１６Ｂの第２水平部材１７が取り付けられた面には、第２梯子３を第１梯子２に係止固定する公知の係止機構２３が取付けられている。係止機構２３は、図２に示すように、略三角形の係止部２４を有する第１部材２５と、係止部２４の係止を解除する第２部材２６とが、各第２垂直部材１６Ａ、１６Ｂにピン等の部材で回動可能に固定されて構成されている。
各係止機構２３は、第１部材２５の係止部２４が第１梯子２の水平部材６に係合した際に、第１梯子２の第１水平部材６と第２梯子３の第２水平部材１７とが同じ高さに並ぶように配置されている。なお、係止機構２３は、第２垂直部材１６Ａ、１６Ｂのいずれか一方にのみ設けられてもよい。
【００２７】
移動補助部４は棒状の金属等の部材からなり、第２梯子３の各第２垂直部材１６Ａ、１６Ｂの上端に取付けられている。各移動補助部４は、基端がねじ等の固定手段で第２垂直部材１６Ａ、１６Ｂに固定されている。上記固定手段は端部１８側から取付けられているので、移動補助部４が取付けられた各第２垂直部材の上端の前面は平坦である。各移動補助部４は、第２垂直部材１６Ａ及び１６Ｂによって規定される平面上に、かつ先端が第２梯子３の外側に向くように、それぞれ第２垂直部材１６Ａ、１６Ｂと所定の角度をなして延出している。
【００２８】
移動補助部４の先端間の長さＬ１は、後述する乗り移りを容易にするという観点からは、５０センチメートル以上に設定されるのが好ましい。一方、使用者が把持しやすいという観点からは７０センチメートル以下に設定されるのが好ましい。本実施形態の２段梯子１においては、Ｌ１は６０センチメートルに設定されている。
【００２９】
また、移動補助部４の長さは、最上段の第２水平部材１７Ａから移動補助部４の先端までの、第２垂直部材１６Ａ、１６Ｂの延長線上における長さが６０センチメートル以上となるように設定されている。すなわち、移動補助部４の先端から第２垂直部材１６Ｂの延長線に降ろした垂線が延長線と交わる点Ｐ１から最上段の第２水平部材１７Ａが配置された第２垂直部材１６Ｂ上の位置Ｐ２までの長さＬ２が６０センチメートル以上である。
これによって、第２水平部材１７Ａを乗り移る高所の床面と同じ高さにして２段梯子１を高所に設置した際に、２段梯子１の上端が、高所の床面から６０センチメートル突出することになる。
【００３０】
移動補助部４が長すぎると、先端をつかんだ際に、第２垂直部材１６Ａ、１６Ｂを高所との接触部分を軸として回動させるようなモーメントが発生する。その反力が第１梯子２の接地部材８をずらすように作用すると、安全面から好ましくない。従って、上述のＬ２の長さは、６０センチメートル又はそれより数センチメートル長い程度が好ましい。
【００３１】
上記のように構成された２段梯子１の使用時の動作について、以下に説明する。
まず、使用者が、接地部材８を接地させた状態で、取手１３を把持し、ロープ２２を引いて、第２梯子３を引き上げる。そして、第２梯子３を、移動する高所の位置に合わせて第１梯子２の上端から所望の高さだけ突出させる。
【００３２】
使用者がロープ２２を緩めると、第２梯子３は下降する。このとき、係止機構２３の第１部材２５の係止部２４が、図２に示すように第１梯子２の第１水平部材６に係合することによって、第２梯子３が第１梯子２に係止固定される。すなわち、第２梯子３は、第１水平部材６の配置間隔である３０センチメートル単位で第１梯子２に対して摺動し、２段梯子１全体の長さが伸縮する。
また、上述のように、第１梯子２の第１水平部材６と第２梯子３の第２水平部材１７が重なる部分は、すべて各水平部材６、１７が同じ高さにそろった状態となる。
【００３３】
次に、図６に示すように、高所Ｈに対して２段梯子１を立てかける。このとき、接地部材８は第１垂直部材５Ａ、５Ｂに対して回動可能に固定されているので、接地部材８と第１垂直部材５Ａ、５Ｂとは、接地部材８の下面の滑り止め部材１１が地面に確実に接地されるように所定の角度をなす。
【００３４】
２段梯子１を高所に立てかける際には、第２梯子３の最上段の第２水平部材１７Ａが、高所Ｈの床面Ｈ１と同一の高さ又はわずかに高い位置に来るように立てかける。すると、上述のように、高所の床面Ｈ１から移動補助部４の先端までの突出長さが、側面視において６０センチメートル以上となる。
【００３５】
高所Ｈに立てかけた後、使用者は２段梯子１を最上段まで上る。そして、図７に示すように、移動補助部４を両手で把持しながら、第２垂直部材１６Ａ、１６Ｂの間から高所Ｈに乗り移る。高所Ｈから降りる際も、同様の動作で第２垂直部材１６Ａ、１６Ｂの間から第２梯子３に乗り移る。
【００３６】
第２梯子３を収納する際は、ロープ２２を引いて、係止機構２３の第２部材２６が、第１部材２５が係合していた第１水平部材６の上に来る位置まで第２梯子３を一旦上昇させる。その後、ロープ２２を緩めて第２梯子３を下降させると、第２部材２６の下部が第１水平部材６に当接し、第１部材２５が第１水平部材６と係合することが妨げられて、第２梯子３が完全に下降される。
【００３７】
本考案の２段梯子１によれば、第２梯子３の上部に設けられた移動補助部４が外側に向かって延出しているので、移動補助部４の上端の間隔Ｌ１が、基端に比べて大きくなっている。従って、第２梯子３の左右から回り込まずに、移動補助部４の間を通って安全に高所Ｈに乗り移ることができる。
【００３８】
また、第２梯子３の最上段の第２水平部材１７Ａから移動補助部４の先端までの、第２垂直部材１６Ａ、１６Ｂの延長線上における長さＬ２が、６０センチメートルに設定されている。これによって、第２水平部材１７Ａを高所の床面Ｈ１と同じ高さにして２段梯子１を高所に立てかけると、自動的に上述の労働安全衛生規則を遵守することになる。従って、当該規則に違反した状態での作業がなくなり、より安全に作業することができる。
さらに、高所の床面Ｈ１より高い位置に第２水平部材１７がない状態で当該規則を遵守することができるので、第２水平部材が乗り移りの際に邪魔にならず、より安全に高所への乗り移り移動を行うことができる。
【００３９】
さらに、第１梯子２に設けられた取手１３が、手前に凸となる略アーチ状に形成されている。従って、第２梯子３を上下させる際に、取手１３を把持する手や指が、第２梯子３の第２水平部材１７に当たって、負傷する危険を減少させることができる。
【００４０】
加えて、第２梯子３に設けられた係止機構２３は、第１梯子２に係止した際に、第１梯子２と第２梯子３の第１水平部材６と第２水平部材１７とが同じ高さに並ぶように配置されている。従って、２段梯子１のいずれの箇所においても、水平部材の間隔が３０センチメートルに保たれているので、予期しない場所に水平部材があることによって使用者が足を踏み外すなどの危険性を低減することができる。
【００４１】
さらに、接地部材８の長手方向の長さＬ３が第１垂直部材５Ａ，５Ｂの奥行きＬ４の２倍以上に設定されているので、接地面積が大きくなり、２段梯子１をより安定した状態で高所に立てかけることができる。
また、接地部材８の下面には、滑り止め部材１１が前後の２箇所に分割されて設けられているので、接地する地面等に凹凸があっても、いずれか一方の滑り止め部材が確実に接地する。したがって、安全な状態で２段梯子１を設置することができる。
加えて、移動補助部４が取付けられた第２垂直部材１６Ａ、１６Ｂの上端の前面が平坦であるので、使用者が高所に乗り移る際に、作業服の一部等が引っかかり、バランスを崩す等の危険を防止することができる。
【００４２】
以上、本考案の実施形態について説明してきたが、本考案の技術範囲は上記実施の形態に限定されるものではなく、本考案の趣旨を逸脱しない範囲において種々の変更を加えることが可能である。
例えば、上記実施形態では、第１梯子と第２梯子からなる２段梯子の例を説明したが、本考案はこれには限定されず、例えば単一の梯子の垂直部材の上端に移動補助部が設けられて構成されてもよい。
【図面の簡単な説明】
【００４３】
【図１】本考案の一実施形態の２段梯子を示す正面図である。
【図２】同２段梯子の係止機構周辺の拡大斜視図である。
【図３】同２段梯子の接地部の拡大側面図である。
【図４】同２段梯子の取手周辺の拡大斜視図である。
【図５】同２段梯子の右側面図である。
【図６】同２段梯子を高所に立てかけた状態を示す図である。
【図７】同２段梯子を使用して高所に乗り移る動作を示す図である。
【符号の説明】
【００４４】
１  ２段梯子（梯子）
２  第１梯子
３  第２梯子
４  移動補助部
５Ａ、５Ｂ  第１垂直部材
６、６Ａ、６Ｂ  第１水平部材
８  接地部材
１３  取手
１６Ａ、１６Ｂ  第２垂直部材
１７，１７Ａ  ，第２水平部材
２３  係止機構
【図１】
0003132302.tif 000003
【図２】
0003132302.tif 000004
【図３】
0003132302.tif 000005
【図４】
0003132302.tif 000006
【図５】
0003132302.tif 000007
【図６】
0003132302.tif 000008
【図７】
0003132302.tif 000009